(57)【要約】【課題】ベルトを装着して係脱可能に形成された雄部材及び雌部材が、幅の狭いベルトに対して、必要な強度や剛性を確保しやすく、スムーズな連結・離脱動作を可能とするベルト連結具を提供する。【解決手段】ベルトが装着された雄部材１と雌部材２とを係脱可能に連結するベルト連結具１０である。雄部材には、一方のベルトＷ１を装着する第１のベルト装着部１１から雌部材側へ延設された差込脚部１２と弾性片１３とを備え、雌部材には、差込脚部と弾性片とを収納する収納部２２とを備え、収納部の上壁部２２４と下壁部２２５には、差込脚部を案内する上案内リブ２３と下案内リブ２４とが、上下方向で分離しかつ左右中心線から互いに反対方向へ位置ズレして配設され、下案内リブの上方に配設され上案内リブに案内される差込脚部の上脚部１２１と、上案内リブの下方に配設され下案内リブに案内される差込脚部の下脚部１２２とを、略Ｚ字状断面に形成した。【選択図】図１
0003235347.tif 000002
【実用新案登録請求の範囲】
【請求項１】
一方のベルトが装着された雄部材と、他方のベルトが装着された雌部材とを係脱可能に連結するベルト連結具であって、
前記雄部材には、前記一方のベルトを装着する第１のベルト装着部と、前記第１のベルト装着部の左右中央部から前記雌部材側へ延設され前記雌部材内に挿入する１つの差込脚部と、前記差込脚部の左右両側に隣接して前記第１のベルト装着部から前記差込脚部と略同方向へ延設された２つの弾性片と、前記弾性片の先端部にそれぞれ形成された一対の係止爪と、前記各係止爪と接続され前記雌部材の側窓部から左右外方へ突出した一対の操作部とを備え、
前記雌部材には、前記他方のベルトを装着する第２のベルト装着部と、前記第２のベルト装着部の前端部に接続され前記差込脚部と前記弾性片とを収納すると共に前記係止爪と係合する一対の係合突起が形成された収納部とを備え、
前記収納部には、前記弾性片の上端面に当接する上壁部と前記弾性片の下端面に当接する下壁部とを備え、
前記上壁部と前記下壁部には、前記差込脚部を前後方向へ案内する上案内リブと下案内リブとを備え、前記上案内リブと前記下案内リブとが、上下方向で分離しかつ左右中心線から互いに反対方向へ位置ズレして配設され、
前記差込脚部には、前記下案内リブの上方に配設され前記上案内リブに案内される上脚部と、前記上案内リブの下方に配設され前記下案内リブに案内される下脚部とを備え、前記上脚部と前記下脚部とが、略Ｚ字状断面に形成されていることを特徴とするベルト連結具。
【請求項２】
請求項１に記載されたベルト連結具において、
前記差込脚部は、前後方向の長さが前記弾性片より大きく形成され、前記弾性片の先端部と隣接する隣接部における左右方向の幅寸法が、前記第１のベルト装着部と接続された基端部の左右方向の幅寸法に対して狭く形成されていることを特徴とするベルト連結具。
【請求項３】
請求項１又は請求項２に記載されたベルト連結具において、
前記差込脚部の先端部には、左右方向へ略Ｔ字状に突出する左突出部及び右突出部と、左右中央部から挿入方向へ円弧状に突出する中央突出部とを備え、
前記係止爪と前記係合突起とが係合したとき、前記中央突出部が前記第２のベルト装着部の前端部と当接し、前記第１のベルト装着部の左右両端部と前記収納部の挿入口における左右側壁部とが当接するように形成されていることを特徴とするベルト連結具。
【請求項４】
請求項１乃至請求項３のいずれか１項に記載されたベルト連結具において、
前記第２のベルト装着部には、前記収納部に接続され略矩形状の開口部が内周側に形成された枠体と、
前記他方のベルトの幅と略同一の幅に形成された折返し部を有し、前記開口部の中の前進位置で前記折返し部の先頭部に前記他方のベルトを巻回して前後方向に折返し、前記折返し部が前記枠体内で前後方向へ進退可能に形成されたベルト折返し部材とを備え、
前記枠体の後端側には、前記ベルト折返し部材と前記他方のベルトとを挿入可能に形成されたベルト挿入部を備え、
前記ベルト挿入部には、前記枠体の左右の側壁部に接続され、後退位置へ移動した前記折返し部との間で、前記他方のベルトを拘束する上押え部と下押え部とを備えていることを特徴とするベルト連結具。
【請求項５】
請求項４に記載されたベルト連結具において、
前記折返し部には、左右方向へ突出する案内突起と上下方向へ貫通する貫通孔とを備え、
前記枠体の側壁部には、前記案内突起と係合して前記ベルト折返し部材を前進位置と後退位置との間で移動可能に形成された案内溝を備え、
前記貫通孔は、前記ベルト折返し部材が前進位置に移動したとき、先端部が略Ｌ字状に屈曲された取り出し治具に対して係合可能に形成されていることを特徴とするベルト連結具。
【請求項６】
請求項５に記載されたベルト連結具において、
前記案内溝には、上壁と、下壁と、前記上壁と前記下壁の内のいずれか一方が水平面に対して所定の角度で傾斜して形成され、前記上壁と前記下壁とを先開き状のコの字断面に連結する縦壁とを備え、
左右の前記案内溝は、前記枠体の中心部を前後方向に延びる中心軸に対して軸対称に形成され、
前記枠体の側壁部の外壁には、傾斜して形成された前記上壁又は前記下壁との間で前記収納部の外面側へ肉盛りした厚肉部が形成されていることを特徴とするベルト連結具。
【請求項７】
請求項６に記載されたベルト連結具において、
前記折返し部は、前記他方のベルトが当接する上端面が、前記所定の角度で傾斜して形成された前記上壁の上端部近傍に位置し、前記他方のベルトが当接する下端面が、前記所定の角度で傾斜して形成された前記下壁の下端部近傍に位置するように形成され、
前記折返し部は、後端側が弾性変形可能に形成された連結部を介して連結され、前記中心軸に沿って形成された微小隙間を隔てて、左右に分割されていることを特徴とするベルト連結具。
【考案の詳細な説明】
【技術分野】
【０００１】
本考案は、ベルト連結具に関し、例えば、ズボン用ベルトのバックルやリュックサック、ベルト付きカバン、ウェストポーチ、ヘルメット等のベルトを装着して係脱可能に連結する雄部材と雌部材とを備えたベルト連結具に関する。
【背景技術】
【０００２】
例えば、ズボン用ベルトのバックルやリュックサック、ベルト付きカバン、ウェストポーチ、ヘルメット等のベルトを装着して係脱可能に連結する雄部材と雌部材とを備えたベルト連結具が、特許文献１に開示されている。
【０００３】
図２０に示すように、特許文献１に開示されたベルト連結具１００では、ベルト折返し用の略矩形状の開口部が内周側に形成された枠体と、
前記ベルトの幅と略同一の幅に形成された厚肉部と当該厚肉部の後方で当該厚肉部より薄く形成された薄肉部とを有し、前記開口部の中で前記厚肉部の先頭部に前記ベルトを巻回して前後方向に折返し、前記枠体内で前後方向へ進退可能に装着された略楔状のベルト折返し部材とを備え、
前記枠体の後端側には、前記ベルト折返し部材と前記ベルトとを挿入するベルト挿入部が形成され、当該ベルト挿入部には、前記枠体の左右の側壁部に接続され前記厚肉部との間で前記ベルトを上下方向に狭圧して拘束する上押え部と下押え部とが形成されていることを特徴とする。少なくとも一のベルトを長さ調節可能に連結したベルト調節装置であって、
ベルト折返し用の略矩形状の開口部が内周側に形成された枠体と、
前記ベルトの幅と略同一の幅に形成された厚肉部と当該厚肉部の後方で当該厚肉部より薄く形成された薄肉部とを有し、前記開口部の中で前記厚肉部の先頭部に前記ベルトを巻回して前後方向に折返し、前記枠体内で前後方向へ進退可能に装着された略楔状のベルト折返し部材とを備え、
前記枠体の後端側には、前記ベルト折返し部材と前記ベルトとを挿入するベルト挿入部が形成され、当該ベルト挿入部には、前記枠体の左右の側壁部に接続され前記厚肉部との間で前記ベルトを上下方向に狭圧して拘束する上押え部と下押え部とが形成されていることを特徴とする。ベルト折返し用の略矩形状の開口部１０１が内周側に形成された枠体（雌部材）１０２と、長さ調節用のベルトｗ２の幅と略同一の幅に形成された厚肉部１０３ａと当該厚肉部１０３ａの後方で厚肉部１０３ａより薄く形成された薄肉部１０３ｂとを有し、開口部１０１の中で厚肉部１０３ａの先頭部に長さ調節用のベルトｗ２を巻回して前後方向に折返し、枠体１０２内で前後方向へ進退可能に装着された略楔状のベルト折返し部材１０３とを備えている。また、枠体１０２の後端側には、ベルト折返し部材１０３とベルトｗ２とを挿入するベルト挿入部１０４が形成されている。そして、ベルト挿入部１０４には、枠体１０２の左右の側壁部１０２ａに接続され、後退位置へ移動したベルト折返し部材１０３の厚肉部１０３ａとの間で、ベルトｗ２を上下方向に狭圧して拘束する上押え部１０４ａと下押え部１０４ｂとが形成されている。
【０００４】
また、上記ベルト連結具１００には、長さ固定用のベルトｗ１が基端部１０５側に固定され、係止爪１０６、１０６が先端部１０７側に形成されたストライカ（雄部材）１０８を備えている。また、枠体１０２におけるベルト折返し用の開口部１０１の前端側には、ストライカ１０８を係脱可能に収納するストライカ収納部１０９と、当該ストライカ収納部１０９内にあってストライカ１０８の係止爪１０６、１０６と係合する係合突起１１０、１１０とが形成されている。ストライカ収納部１０９の前端側には、ストライカ１０８を挿入させるストライカ挿入部１０９ａが形成されている。
【０００５】
また、ストライカ１０８には、ストライカ収納部１０９内に挿入する左右一対の差込脚部１１１、１１１が左右中央側に形成されている。また、ストライカ収納部１０９の左右中央部には、差込脚部１１１、１１１同士の隙間に挿入される案内リブ１１３が前後方向に形成されている。また、差込脚部１１１、１１１の左右外方には、当該差込脚部１１１、１１１の先端部から基端部側へ略Ｖ字状に折り返す折返し部１１１ａを備え、当該折返し部１１１ａには、差込脚部１１１、１１１から左右外方へ離間した折返し部１１１ａの先端側に係止爪１０６、１０６が形成され、係止爪１０６、１０６から更に左右外方へ離間した位置に、係止爪１０６、１０６を係合突起１１０、１１０から離脱させる操作部１１２、１１２が形成されている。
【０００６】
したがって、上記ベルト連結具１００によれば、ベルト折返し部材１０３を介して長さ調整用のベルトｗ２を装着した枠体（雌部材）１０２と、長さ固定用のベルトｗ１を装着したストライカ（雄部材）１０８とを、係止爪１０６、１０６と係合突起１１０、１１０とを介して係脱可能に連結することができる。
【先行技術文献】
【特許文献】
【０００７】
【特許文献１】特開２０２１−３７０６９号公報
【考案の概要】
【考案が解決しようとする課題】
【０００８】
しかしながら、特許文献１に開示されたベルト連結具１００では、枠体（雌部材）１０２のストライカ収納部１０９内に挿入するストライカ（雄部材）１０８の案内構造として、ストライカ１０８の左右一対の差込脚部１１１、１１１が、ストライカ収納部１０９の案内リブ１１３を左右両側から挟み込む三層構造を構成しているので、これを幅の狭いベルト（例えば、幅２０ｍｍ程度以下のベルト）に適用しようとすると、差込脚部１１１、１１１や案内リブ１１３等の肉厚が薄くなり、必要な強度や剛性を確保しにくいという問題があった。
【０００９】
また、ストライカ収納部１０９に対するストライカ１０８の連結構造として、差込脚部１１１、１１１の左右外方には、当該差込脚部１１１、１１１の先端部から基端部側へ略Ｖ字状に折り返す折返し部１１１ａを備え、当該折返し部１１１ａには、差込脚部１１１、１１１から左右外方へ離間した折返し部１１１ａの先端側に係止爪１０６、１０６が形成され、係止爪１０６、１０６から更に左右外方へ離間した位置に、係止爪１０６、１０６を係合突起１１０、１１０から離脱させる操作部１１２、１１２とが形成されているので、これを幅の狭いベルト（例えば、幅２０ｍｍ程度以下のベルト）に適用しようとすると、ストライカ収納部１０９とストライカ１０８との間で、係止爪１０６、１０６と係合突起１１０、１１０とを係脱させる空間が狭くなり、連結離脱の操作性が低下するという問題があった。
【００１０】
そのため、上記ベルト連結具１００を幅の狭いベルトに適用する場合、枠体１０２とベルト折返し部材１０３とをベルト幅に適した大きさ形成にすることは容易であるが、ストライカ１０８とストライカ収納部１０９とを幅の狭いベルトの幅に適した大きさに形成することが困難であった。
【００１１】
本考案は、上記問題点を解決するためになされたものであり、その目的は、ベルトを装着して係脱可能に形成された雄部材及び雌部材が、幅の狭いベルトに対して、必要な強度や剛性を確保しやすく、スムーズな連結・離脱動作を可能とするベルト連結具を提供することである。
【課題を解決するための手段】
【００１２】
（１）上記課題を解決するための本考案の一態様は、一方のベルトが装着された雄部材と、他方のベルトが装着された雌部材とを係脱可能に連結するベルト連結具であって、
前記雄部材には、前記一方のベルトを装着する第１のベルト装着部と、前記第１のベルト装着部の左右中央部から前記雌部材側へ延設され前記雌部材内に挿入する１つの差込脚部と、前記差込脚部の左右両側に隣接して前記第１のベルト装着部から前記差込脚部と略同方向へ延設された２つの弾性片と、前記弾性片の先端部にそれぞれ形成された一対の係止爪と、前記各係止爪と接続され前記雌部材の側窓部から左右外方へ突出した一対の操作部とを備え、
前記雌部材には、前記他方のベルトを装着する第２のベルト装着部と、前記第２のベルト装着部の前端部に接続され前記差込脚部と前記弾性片とを収納すると共に前記係止爪と係合する一対の係合突起が形成された収納部とを備え、
前記収納部には、前記弾性片の上端面に当接する上壁部と前記弾性片の下端面に当接する下壁部とを備え、
前記上壁部と前記下壁部には、前記差込脚部を前後方向へ案内する上案内リブと下案内リブとを備え、前記上案内リブと前記下案内リブとが、上下方向で分離しかつ左右中心線から互いに反対方向へ位置ズレして配設され、
前記差込脚部には、前記下案内リブの上方に配設され前記上案内リブに案内される上脚部と、前記上案内リブの下方に配設され前記下案内リブに案内される下脚部とを備え、前記上脚部と前記下脚部とが、略Ｚ字状断面に形成されていることを特徴とする。
【００１３】
本考案においては、雄部材には、一方のベルトを装着する第１のベルト装着部と、第１のベルト装着部の左右中央部から雌部材側へ延設され雌部材内に挿入する１つの差込脚部と、差込脚部の左右両側に隣接して第１のベルト装着部から差込脚部と略同方向へ延設された２つの弾性片と、弾性片の先端部にそれぞれ形成された一対の係止爪と、各係止爪と接続され雌部材の側窓部から左右外方へ突出した一対の操作部とを備え、雌部材には、他方のベルトを装着する第２のベルト装着部と、第２のベルト装着部の前端部に接続され差込脚部と弾性片とを収納すると共に係止爪と係合する一対の係合突起が形成された収納部とを備えているので、雄部材の差込脚部と弾性片とを雌部材の収納部内にコンパクトに収納し、係止爪と係合突起とを余裕を持って係脱させることができる。そのため、一方のベルトが第１のベルト装着部に装着された雄部材と他方のベルトが第２のベルト装着部に装着された雌部材とを、コンパクトに形成しつつ、スムーズに連結離脱させることができる。
【００１４】
また、収納部には、弾性片の上端面に当接する上壁部と弾性片の下端面に当接する下壁部とを備え、上壁部と下壁部には、差込脚部を前後方向へ案内する上案内リブと下案内リブとを備え、上案内リブと下案内リブとが、上下方向で分離しかつ左右中心線から互いに反対方向へ位置ズレして配設され、差込脚部には、下案内リブの上方に配設され上案内リブに案内される上脚部と、上案内リブの下方に配設され下案内リブに案内される下脚部とを備え、上脚部と下脚部とが、略Ｚ字状断面に形成されているので、収納部の上壁部と下壁部とが弾性片の上端面と下端面とを上下方向から規制することによって、雌部材に対する雄部材の挿入姿勢を維持させながら、差込脚部の上脚部と下脚部とを上下方向で分離した上案内リブと下案内リブとが左右方向から規制することができる。そのため、収納部内において上方の案内構造を形成する上脚部と上案内リブとが左右方向で二層構造となり、下方の案内構造を形成する下脚部と下案内リブとが左右方向で二層構造となり、それぞれの案内構造における左右方向の幅寸法を短縮させながら、差込脚部及び弾性片における必要な強度や剛性を確保することができる。また、案内構造における上脚部及び上案内リブの領域と下脚部及び下案内リブの領域とが、上下方向で略重合して配置されることになり、案内構造全体としての左右方向の幅寸法を短縮させることができる。その結果、ベルトを装着して係脱可能に形成された雄部材及び雌部材の左右方向の幅寸法を、ベルト幅に応じて短縮でき、且つ、必要な強度や剛性を確保することができる。
【００１５】
よって、本考案によれば、ベルトを装着して係脱可能に形成された雄部材及び雌部材が、幅の狭いベルトに対して、必要な強度や剛性を確保しやすく、スムーズな連結・離脱動作を可能とするベルト連結具を提供することができる。
【００１６】
（２）（１）に記載されたベルト連結具において、
前記差込脚部は、前後方向の長さが前記弾性片より大きく形成され、前記弾性片の先端部と隣接する隣接部における左右方向の幅寸法が、前記第１のベルト装着部と接続された基端部の左右方向の幅寸法に対して狭く形成されていることを特徴とする。
【００１７】
本考案においては、差込脚部は、前後方向の長さが弾性片より大きく形成され、弾性片の先端部と隣接する隣接部における左右方向の幅寸法が、第１のベルト装着部と接続された基端部の左右方向の幅寸法に対して狭く形成されているので、弾性片の係止爪を収納部の係合突起から離脱させる際、弾性片の先端部に形成された係止爪及び操作部を左右中央側へより大きく移動させても、差込脚部と弾性片との干渉を回避できる。そのため、弾性片の先端部に形成された係止爪及び操作部を、より左右中央側へ配置できる。その結果、ベルトを装着して係脱可能に形成された雄部材及び雌部材の左右方向の幅寸法を、ベルト幅に応じてより一層短縮させることができる。
【００１８】
（３）（１）又は（２）に記載されたベルト連結具において、
前記差込脚部の先端部には、左右方向へ略Ｔ字状に突出する左突出部及び右突出部と、左右中央部から挿入方向へ円弧状に突出する中央突出部とを備え、
前記係止爪と前記係合突起とが係合したとき、前記中央突出部が前記第２のベルト装着部の前端部と当接し、前記第１のベルト装着部の左右両端部と前記収納部の挿入口における左右側壁部とが当接するように形成されていることを特徴とする。
【００１９】
本考案においては、差込脚部の先端部には、左右方向へ略Ｔ字状に突出する左突出部及び右突出部と、左右中央部から挿入方向（矢印Ｐの方向）へ円弧状に突出する中央突出部とを備え、係止爪と係合突起とが係合したとき、中央突出部が第２のベルト装着部の前端部と当接し、第１のベルト装着部の左右両端部と収納部の挿入口における左右側壁部とが当接するように形成されているので、雄部材と雌部材とを連結した状態で、差込脚部の中央突出部と第１ベルト装着部の左右両端部とが、収納部内で３点支持される。そのため、差込脚部と上案内リブと下案内リブとから成る案内構造を３点支持によって補強し、案内構造の精度をより一層向上させることができる。その結果、雄部材と雌部材との連結強度及び連結精度を高めつつ、各ベルトを装着して係脱可能に形成された雄部材及び雌部材の左右方向の幅寸法を、ベルト幅に応じてより一層短縮させることができる。
【００２０】
（４）（１）乃至（３）のいずれか１つに記載されたベルト連結具において、
前記第２のベルト装着部には、前記収納部に接続され略矩形状の開口部が内周側に形成された枠体と、
前記他方のベルトの幅と略同一の幅に形成された折返し部を有し、前記開口部の中の前進位置で前記折返し部の先頭部に前記他方のベルトを巻回して前後方向に折返し、前記折返し部が前記枠体内で前後方向へ進退可能に形成されたベルト折返し部材とを備え、
前記枠体の後端側には、前記ベルト折返し部材と前記他方のベルトとを挿入可能に形成されたベルト挿入部を備え、
前記ベルト挿入部には、前記枠体の左右の側壁部に接続され、後退位置へ移動した前記折返し部との間で、前記他方のベルトを拘束する上押え部と下押え部とを備えていることを特徴とする。
【００２１】
本考案においては、第２のベルト装着部には、収納部に接続され略矩形状の開口部が内周側に形成された枠体と、他方のベルトの幅と略同一の幅に形成された折返し部を有し、開口部の中の前進位置で折返し部の先頭部に他方のベルトを巻回して前後方向に折返し、折返し部が枠体内で前後方向へ進退可能に形成されたベルト折返し部材とを備え、枠体の後端側には、ベルト折返し部材と他方のベルトとを挿入可能に形成されたベルト挿入部を備え、ベルト挿入部には、枠体の左右の側壁部に接続され、後退位置へ移動した折返し部との間で、他方のベルトを拘束する上押え部と下押え部とを備えているので、第２のベルト装着部に対して幅の狭い他方のベルトを固定するときには、ベルト折返し部材を折り返した他方のベルトと共に後退位置へ移動させるだけで良い。
【００２２】
また、第２のベルト装着部に対して幅の狭い他方のベルトの長さを調節するときには、ベルト折返し部材を折り返された他方のベルトと共に前進位置へ移動させるだけで良い。すなわち、ベルト折返し部材を前進位置へ移動させることによって、折返し部に巻回された他方のベルトは、上押え部と下押え部との拘束が解除されて、開口部内で自由に移動させることができる。したがって、第２のベルト装着部に対して幅の狭い他方のベルトの長さを簡単に調節し、固定することができる。
【００２３】
（５）（４）に記載されたベルト連結具において、
前記折返し部には、左右方向へ突出する案内突起と上下方向へ貫通する貫通孔とを備え、
前記枠体の側壁部には、前記案内突起と係合して前記ベルト折返し部材を前進位置と後退位置との間で移動可能に形成された案内溝を備え、
前記貫通孔は、前記ベルト折返し部材が前進位置に移動したとき、先端部が略Ｌ字状に屈曲された取り出し治具に対して係合可能に形成されていることを特徴とする。
【００２４】
本考案においては、折返し部には、左右方向へ突出する案内突起と上下方向へ貫通する貫通孔とを備え、枠体の側壁部には、案内突起と係合してベルト折返し部材を前進位置と後退位置との間で移動可能に形成された案内溝を備え、貫通孔は、ベルト折返し部材が前進位置に移動したとき、先端部が略Ｌ字状に屈曲された取り出し治具に対して係合可能に形成されているので、ベルト折返し部材を前進位置に移動させた状態で、折返し部の貫通孔に取り出し治具の先端部を挿入して、上下方向へ引っ張ることによって、折返し部の案内突起を案内溝から離脱させることができる。そのため、幅の狭い他方のベルトに対応して形成された小型のベルト折返し部材を、簡単に枠体から離脱させ、又は枠体内に挿入させることができる。
【００２５】
（６）（５）に記載されたベルト連結具において、
前記案内溝には、上壁と、下壁と、前記上壁と前記下壁の内のいずれか一方が水平面に対して所定の角度で傾斜して形成され、前記上壁と前記下壁とを先開き状のコの字断面に連結する縦壁とを備え、
左右の前記案内溝は、前記枠体の中心部を前後方向に延びる中心軸に対して軸対称に形成され、
前記枠体の側壁部の外壁には、傾斜して形成された前記上壁又は前記下壁との間で前記収納部の外面側へ肉盛りした厚肉部が形成されていることを特徴とする。
【００２６】
本考案においては、案内溝には、上壁と、下壁と、上壁と下壁の内のいずれか一方が水平面に対して所定の角度で傾斜して形成され、上壁と下壁とを先開き状のコの字断面に連結する縦壁とを備え、左右の案内溝は、枠体の中心部を前後方向に延びる中心軸に対して軸対称に形成されているので、左右の案内溝を複雑なスライド型を用いることなく単純なスライド型で成形することができる。ところが、幅の狭い他方のベルトＷ２に対応して小型化された枠体２１ＡＣは、枠体の側壁部に対してイメージ的に貧弱な印象を与える可能性がある。そこで、枠体の側壁部の外壁には、傾斜して形成された上壁又は下壁との間で収納部の外面側へ肉盛りした厚肉部が形成されている。この厚肉部によって、枠体の側壁部に対するイメージ的に貧弱な印象を解消することができると共に、枠体の側壁部おける必要な強度を、確保することができる。そのため、第２のベルト装着部に対して幅の狭い他方のベルトを、不安感を生じさせず、より一層強固に固定することができる。
【００２７】
（７）（６）に記載されたベルト連結具において、
前記折返し部は、前記他方のベルトが当接する上端面が、前記所定の角度で傾斜して形成された前記上壁の上端部近傍に位置し、前記他方のベルトが当接する下端面が、前記所定の角度で傾斜して形成された前記下壁の下端部近傍に位置するように形成され、
前記折返し部は、後端側が弾性変形可能に形成された連結部を介して連結され、前記中心軸に沿って形成された微小隙間を隔てて、左右に分割されていることを特徴とする。
【００２８】
本考案においては、折返し部は、他方のベルトが当接する上端面が、所定の角度で傾斜して形成された上壁の上端部近傍に位置し、他方のベルトが当接する下端面が、所定の角度で傾斜して形成された下壁の下端部近傍に位置するように形成されているので、折返し部の上下方向の厚さを増大させることができ、後退位置へ移動した折返し部と上押え部及び下押え部との間で、幅の狭い他方のベルトを直接的に挟圧して、より効果的に拘束できる。
【００２９】
また、折返し部は、後端側が弾性変形可能に形成された連結部を介して連結され、中心軸に沿って形成された微小隙間を隔てて、左右に分割されているので、折返し部に装着した他方のベルトに負荷を掛けても、微小隙間が閉じることによって、折返し部の案内突起が案内溝から外れにくくなる。一方、折返し部を取り外す際には、分割された一方の折返し部の貫通孔に取り出し治具の先端部を挿入して、上下方向へ引っ張ることによって連結部を弾性変形させ、一方の折返し部と他方の折返し部とを中央側で交差させることができ、一方の折返し部の案内突起を案内溝から簡単に離脱させることができる。そのため、第２のベルト装着部に対して幅の狭い他方のベルトを、より一層確実に固定することができると共に、枠体に対してベルト折返し部材を簡単に着脱させることができる。
【考案の効果】
【００３０】
本考案によれば、ベルトを装着して係脱可能に形成された雄部材及び雌部材が、幅の狭いベルトに対して、必要な強度や剛性を確保しやすく、スムーズな連結・離脱動作を可能とするベルト連結具を提供することができる。
【図面の簡単な説明】
【００３１】
【図１】本実施形態に係る第１実施例のベルト連結具における分解状態の概略斜視図である。
【図２】図１に示すベルト連結具における組付け状態（ベルトロック状態）の平面図である。
【図３】図２に示すＡ−Ａ断面図である。
【図４】図２に示すＢ−Ｂ断面図である。
【図５】図３に示すＣ−Ｃ断面図である。
【図６】図１に示すベルト連結具における雄部材の平面図である。
【図７】図６に示すＤ−Ｄ断面図である。
【図８】図６に示すＥ矢視図である。
【図９】図１に示すベルト連結具における雌部材の収納部と枠体の平面図である。
【図１０】図９に示すＦ−Ｆ断面図である。
【図１１】図９に示すＧ矢視図である。
【図１２】図１に示すベルト連結具における雄部材と雌部材との係合構造の詳細断面図である。
【図１３】図１に示すベルト連結具における雌部材のベルト折返し部材の平面図である。
【図１４】図１３に示すＨ−Ｈ断面図である。
【図１５】図１に示すベルト連結具における雌部材のベルト折返し部材と枠体との係合状態（取り出し治具による係合解除方法を含む）の詳細断面図である。
【図１６】図１５に示す枠体の変形例（取り出し治具による係合解除方法を含む）の詳細断面図である。
【図１７】本実施形態に係る第２実施例のベルト連結具における分解状態の概略斜視図である。
【図１８】図１７に示すベルト連結具におけるベルトロック状態の長手方向の断面図である。
【図１９】図１７に示すベルト連結具における雌部材のベルト折返し部材と枠体との係合状態（取り出し治具による係合解除方法を含む）の詳細断面図である。
【図２０】特許文献１に記載されたベルト連結具における分解状態の斜視図である。
【考案を実施するための形態】
【００３２】
＜本実施形態に係る第１実施例のベルト連結具＞
以下、本実施形態に係る第１実施例のベルト連結具について、図１〜図１６を用いて説明する。図１に、本実施形態に係る第１実施例のベルト連結具における分解状態の概略斜視図を示す。図２に、図１に示すベルト連結具における組付け状態（ベルトロック状態）の平面図を示す。図３に、図２に示すＡ−Ａ断面図を示す。図４に、図２に示すＢ−Ｂ断面図を示す。図５に、図３に示すＣ−Ｃ断面図を示す。図６に、図１に示すベルト連結具における雄部材の平面図を示す。図７に、図６に示すＤ−Ｄ断面図を示す。図８に、図６に示すＥ矢視図を示す。図９に、図１に示すベルト連結具における雌部材の収納部と枠体の平面図を示す。図１０に、図９に示すＦ−Ｆ断面図を示す。図１１に、図９に示すＧ矢視図を示す。図１２に、図１に示すベルト連結具における雄部材と雌部材との係合構造の詳細断面図を示す。図１３に、図１に示すベルト連結具における雌部材のベルト折返し部材の平面図を示す。図１４に、図１３に示すＨ−Ｈ断面図を示す。図１５に、図１に示すベルト連結具における雌部材のベルト折返し部材と枠体との係合状態（取り出し治具による係合解除方法を含む）の詳細断面図を示す。図１６に、図１５に示す枠体の変形例（取り出し治具による係合解除方法を含む）の詳細断面図を示す。なお、図１〜図３に示す左右方向は、ベルトの幅方向を示し、前後方向は、ベルトの長さ方向を示す。
【００３３】
（本ベルト連結具の構成）
図１〜図１５に示すように、本実施形態に係る第１実施例のベルト連結具１０は、一方のベルトＷ１が装着された雄部材１と、他方のベルトＷ２が装着された雌部材２とを係脱可能に連結するベルト連結具１０である。このベルト連結具１０は、例えば、ズボン用ベルトのバックル、リュックサック、ベルト付きカバン、ウェストポーチ、ヘルメット等の各種用品に適用することができる。ここでは、一方のベルトＷ１は、先端部を折り返して固定する長さ固定用のベルトであり、他方のベルトＷ２は、先端部を折り返す位置が調節でき、調節した位置で保持できる長さ調節用のベルトであるが、必ずしもこれに限定する必要はない。また、本ベルト連結具１０は、樹脂製でもアルミ等の合金製でも良い。なお、ベルトＷ１、Ｗ２は、用途に応じて樹脂製、布製、革製など各種材料を用いることができるが、例えば、アウトドア用（水泳用、登山用等）では、樹脂材の織物製が好ましい。
【００３４】
また、図1、図２、図６に示すように、雄部材１には、一方のベルトＷ１を装着する第１のベルト装着部１１と、第１のベルト装着部１１の左右中央部から雌部材２側へ延設され雌部材２内に挿入する１つの差込脚部１２と、差込脚部１２の左右両側に隣接して第１のベルト装着部１１から差込脚部１２と略同方向へ延設された２つの弾性片１３と、弾性片１３の先端部１３１にそれぞれ形成された一対の係止爪１４と、係止爪１４と接続され雌部材２の側窓部２２２から左右外方へ突出した一対の操作部１５とを備えている。なお、弾性片１３の先端部１３１に係止爪１４を形成したので、操作部１５を内方へ押して弾性片１３を撓ませる操作荷重を軽減でき、また、雄部材１全体の長さを短縮することもできる。
【００３５】
なお、第１のベルト装着部１１は、一方のベルトＷ１を巻回して固定するベルト固定部１１ａと、差込脚部１２と弾性片１３とを支持する支持部１１ｂとを備え、ベルト固定部１１ａと支持部１１ｂとの間には、一方のベルトＷ１を挿通する挿通孔１１ｃが形成されている。挿通孔１１ｃは、一方のベルトＷ１の幅と略同一の長さに形成されている。また、ベルト固定部１１ａと支持部１１ｂとは、第１のベルト装着部１１の左右両端部１１ｄにて連結されている。また、操作部１５は、係止爪１４の上下方向の中間部から左右外方へ延びる薄板状の接続板１５１を介して係止爪１４と接続されている。接続板１５１には、弾性片１３との間に切欠き部１５２が形成されている。また、操作部１５は、第１のベルト装着部１１の左右両端部１１ｄ、１１ｄより左右内方に配置されていることが好ましい。
【００３６】
また、図１〜図５に示すように、雌部材２には、他方のベルトＷ２を装着する第２のベルト装着部２１と、第２のベルト装着部２１の前端部２５に接続され差込脚部１２と弾性片１３とを収納すると共に係止爪１４と係合する一対の係合突起２２１が形成された収納部２２とを備えている。なお、係合突起２２１は、収納部２２の上壁部２２４と下壁部２２５とから内方へ起立し、両係合突起２２１、２２１の間には、係止爪１４と操作部１５とを接続する接続板１５１が通過する隙間が形成されている。
【００３７】
したがって、雄部材１の差込脚部１２と弾性片１３とを雌部材２の収納部２２内にコンパクトに収納し、係止爪１４と係合突起２２１とを余裕を持って係脱させることができる。そのため、一方のベルトＷ１が第１のベルト装着部１１に装着された雄部材１と他方のベルトＷ２が第２のベルト装着部２１に装着された雌部材２とを、コンパクトに形成しつつ、スムーズに連結離脱させることができる。
【００３８】
また、収納部２２には、弾性片１３の上端面１３ａに当接する上壁部２２４と弾性片１３の下端面１３ｂに当接する下壁部２２５とを備え、上壁部２２４と下壁部２２５には、差込脚部１２を前後方向へ案内する上案内リブ２３と下案内リブ２４とを備え、上案内リブ２３と下案内リブ２４とが、上下方向で分離しかつ左右中心線ＣＬ１から互いに反対方向へ位置ズレして配設されている。なお、上案内リブ２３は、上壁部２２４の下端面２２４ｂに接続され、下案内リブ２４は、下壁部２２５の上端面２２５ｂに接続され、それぞれ収納部２２の後端部に相当する第２のベルト装着部２１の前端部２５から収納部２２の挿入口２２Ｋ近傍で第１のベルト装着部１１と干渉しない位置まで延設されている。
【００３９】
また、差込脚部１２には、下案内リブ２４の上方に配設され上案内リブ２３に案内される上脚部１２１と、上案内リブ２３の下方に配設され下案内リブ２４に案内される下脚部１２２とを備え、上脚部１２１と下脚部１２２とが、略Ｚ字状断面に形成されている。なお、上脚部１２１と下脚部１２２との接続部１２３は、上下中心線ＣＬ２の位置に形成されている。上脚部１２１は、左右中心線ＣＬ１の位置で上案内リブ２３の左内側面２３１に摺接し、下脚部１２２は、左右中心線ＣＬ１の位置で下案内リブ２４の右内側面２４１に摺接するように形成されている。
【００４０】
したがって、収納部２２の上壁部２２４と下壁部２２５とが弾性片１３の上端面１３ａと下端面１３ｂとを上下方向から規制することによって、雌部材２に対する雄部材１の挿入姿勢を維持させながら、差込脚部１２の上脚部１２１と下脚部１２２とを上下方向で分離した上案内リブ２３と下案内リブ２４とが左右方向から規制することができる。そのため、収納部２２内における上方の案内構造を形成する上脚部１２１と上案内リブ２３とが左右方向で二層構造となり、下方の案内構造を形成する下脚部１２２と下案内リブ２４とが左右方向で二層構造となる。そのため、それぞれの案内構造における左右方向の幅寸法を、従来の三層構造（図２０参照）に比較して、短縮させながら、差込脚部１２及び弾性片１３における必要な強度や剛性を確保することができる。
【００４１】
また、案内構造における上脚部１２１及び上案内リブ２３の領域と下脚部１２２及び下案内リブ２４の領域とが、上下方向で略重合して配置されることになり、案内構造全体としての左右方向の幅寸法を短縮させることができる。その結果、ベルトＷ１、Ｗ２を装着して係脱可能に形成された雄部材１及び雌部材２の左右方向の幅寸法を、ベルト幅に応じて短縮でき、且つ、必要な強度や剛性を確保することができる。
【００４２】
また、図６に示すように、差込脚部１２は、前後方向の長さが弾性片１３より大きく形成され、弾性片１３の先端部１３１と隣接する隣接部１２Ｂにおける左右方向の幅寸法ｄ１が、第１のベルト装着部１１と接続された基端部１２Ｃの左右方向の幅寸法ｄ２に対して狭く形成されていることが好ましい。この場合、図１２に示すように、弾性片１３の係止爪１４を収納部２２の係合突起２２１から離脱させる際、弾性片１３の先端部１３１に形成された係止爪１４及び操作部１５を左右中央側へより大きく移動させても、差込脚部１２と弾性片１３との干渉を回避できる。そのため、弾性片１３の先端部１３１に形成された係止爪１４及び操作部１５を、より左右中央側へ配置できる。
【００４３】
すなわち、差込脚部１２は、弾性片１３の先端部１３１と隣接する隣接部１２Ｂにおいて、弾性片１３の先端部１３１との隙間を拡大できるので、操作部１５を左右内方へ押圧して、弾性片１３の係止爪１４を収納部２２の係合突起２２１から離脱させる方向へ移動させる際、差込脚部１２と弾性片１３との干渉を回避しやすい。そのため、ベルトＷ１、Ｗ２を装着して係脱可能に形成された雄部材１及び雌部材２の左右方向の幅寸法を、ベルト幅に応じてより一層短縮させることができる。なお、この場合でも、図６、図８に示すように、差込脚部１２の基端部１２Ｃには、第１のベルト装着部１１に接続する三角形状の補強リブ１２１ｃ、１２２ｃを形成したことによって、差込脚部１２の強度を高めることができる。
【００４４】
また、図３、図５、図６、図１２に示すように、差込脚部１２の先端部１２Ａには、左右方向へ略Ｔ字状に突出する左突出部１２１ａ及び右突出部１２２ａと、左右中央部から挿入方向（矢印Ｐの方向）へ円弧状に突出する中央突出部１２４とを備え、係止爪１４と係合突起２２１とが係合したとき、中央突出部１２４が第２のベルト装着部２１の前端部２５と当接し、第１のベルト装着部１１の左右両端部１１ｄ、１１ｄと収納部２２の挿入口２２Ｋにおける左右側壁部２２３、２２３とが当接するように形成されていることが好ましい。
【００４５】
この場合、雄部材１と雌部材２とを連結した状態で、差込脚部１２の中央突出部１２４と第１のベルト装着部１１の左右両端部１１ｄ、１１ｄとが、収納部２２内で３点支持されることになる。そのため、差込脚部１２と上案内リブ２３と下案内リブ２４とから成る案内構造を３点支持によって補強し、案内構造の精度をより一層向上させることができる。その結果、雄部材１と雌部材２との連結強度及び連結精度を高めつつ、各ベルトＷ１、Ｗ２を装着して係脱可能に形成された雄部材１及び雌部材２の左右方向の幅寸法を、ベルト幅に応じてより一層短縮させることができる。
【００４６】
なお、差込脚部１２の先端部１２Ａには、左右方向へ略Ｔ字状に突出する左突出部１２１ａ及び右突出部１２２ａを備えたので、差込脚部１２の先端部１２Ａが針のように尖っていないため安全性を高めることができると共に、差込脚部１２を収納部２２内に挿入する姿勢の安定化を図ることができる。また、係止爪１４と係合突起２２１とが係合したとき、中央突出部１２４が第２のベルト装着部２１の前端部２５と当接する当接音が発生するので、係止爪１４と係合突起２２１とが係合するときの節度感を高めることができる。また、操作部１５の先端部１５３を収納部２２内に収納する位置まで延設することが好ましく、この場合、雄部材１と雌部材２とを連結した状態のガタツキを、更に低減させることができる。
【００４７】
また、図４、図８〜図１１に示すように、上壁部２２４と下壁部２２５には、差込脚部１２が挿入される凹溝２２４ａ、２２５ａが形成されていることが好ましい。なお、上壁部２２４に形成された凹溝２２４ａは、上案内リブ２３に沿って所定の幅で形成され、下壁部２２５に形成された凹溝２２５ａは、下案内リブ２４に沿って所定の幅で形成されている。
【００４８】
この場合、各凹溝２２４ａ、２２５ａによって差込脚部１２を案内できると共に、両凹溝２２４ａ、２２５ａの溝深さｔ１、ｔ２分だけ、差込脚部１２の上下寸法ｄ３を拡大することができる。そのため、差込脚部１２に対する収納部２２内の案内面を増加・拡大することができる。その結果、雌部材２に対する雄部材１のガタツキを低減できる。
【００４９】
また、図１〜図５、図９、図１０、図１３〜図１５に示すように、第２のベルト装着部２１には、収納部２２に接続され略矩形状の開口部２９が内周側に形成された枠体２１Ａと、他方のベルトＷ２の幅と略同一の幅に形成された折返し部２９１を有し、開口部２９の中の前進位置Ｑ２で折返し部２９１の先頭部に他方のベルトＷ２を巻回して前後方向に折返し、折返し部２９１が枠体２１Ａ内で前後方向へ進退可能に形成されたベルト折返し部材２１Ｂとを備え、枠体２１Ａの後端側には、ベルト折返し部材２１Ｂと他方のベルトＷ２とを挿入可能に形成されたベルト挿入部３０を備え、ベルト挿入部３０には、枠体２１Ａの左右の側壁部２６に接続され、後退位置Ｑ１へ移動した折返し部２９１との間で、他方のベルトＷ２を拘束する上押え部２７と下押え部２８とを備えていることが好ましい。
【００５０】
この場合、第２のベルト装着部２１に対して幅の狭い他方のベルトＷ２を固定するときには、ベルト折返し部材２１Ｂを折り返した他方のベルトＷ２と共に後退位置Ｑ１へ移動させるだけで良い。また、第２のベルト装着部２１に対して幅の狭い他方のベルトＷ２の長さを調節するときには、ベルト折返し部材２１Ｂを折り返された他方のベルトＷ２と共に前進位置Ｑ２へ移動させるだけで良い。
【００５１】
すなわち、ベルト折返し部材２１Ｂを前進位置Ｑ２へ移動させることによって、折返し部２９１に巻回された他方のベルトＷ２は、上押え部２７と下押え部２８との拘束が解除されて、開口部２９内で自由に移動させることができる。したがって、第２のベルト装着部２１に対して幅の狭い他方のベルトＷ２の長さを簡単に調節し、固定することができる。
【００５２】
ここでは、折返し部２９１は、後端側が弾性変形可能に形成された連結部２９３を介して連結され、中心軸に沿って形成された微小隙間を隔てて、左右に分割されている。また、折返し部２９１には、上下方向へ突出する複数の突起部２９２が形成されている。連結部２９３の後端側には、略円弧状断面に形成された把持部２９４を備えている。なお、突起部２９２は、所定の幅で折返し部２９１の上下端面２９１ｂ、２９１ｂから上下方向へ垂直状に起立する前端面２９２ａと、連結部２９３に向けて緩やかに傾斜する傾斜面２９２ｂとを備えている。また、上押え部２７及び下押え部２８には、後退位置Ｑ１へ移動したベルト折返し部材２１Ｂの折返し部２９１の突起部２９２との間で、他方のベルトＷ２を前後方向で略階段状に屈曲させる立壁部２７１、２８１が開口部２９側に左右方向へ連続状に形成されている。したがって、立壁部２７１、２８１と突起部２９２との間で他方のベルトＷ２を前後方向で略階段状に屈曲させ、その屈曲に伴う変形抵抗によって他方のベルトＷ２の移動を阻止することができる。
【００５３】
この場合、後退位置Ｑ１へ移動した折返し部２９１と上押え部２７及び下押え部２８との間で、他方のベルトＷ２を略Ｕ字状に折り曲げて拘束できるので、従来のバックル（例えば、特開２００７−２９６５４号公報等に開示されたベルト調節具）のように、ベルトを上下方向で略Ｓ字状に屈曲させる構造ではない。そのため、ベルトが枠体の上方及び下方へ突出した状態で固定されることがない。その結果、ベルト連結具１０における厚さ方向の寸法を縮小でき、使用時の利便性が飛躍的に向上する。例えば、ゴルフのスイング時に、正確なショットを行うためには、脇を締めて、ゴルフクラブを持つ腕を出来る限り腹に近づける必要があるが、従来のバックルのように枠体からベルトが突出していると、突出したベルトに腕が当たり、意図するスイングができない場合がある。これに対して、本ベルト連結具１０では、他方のベルトＷ２が枠体２１Ａの上下面から外方へ突出せず、ベルト連結具１０における厚さ方向の寸法が大幅に縮小できるので、意図するスイングを安全かつスムーズに行うことができる。よって、本ベルト連結具１０における厚さ方向の寸法を縮小でき、使用時の利便性を飛躍的に向上できる。
【００５４】
また、ベルト折返し部材２１Ｂは、枠体２１Ａに対して後退位置Ｑ１より後方へ移動できないので、他方のベルトＷ２を強く引っ張っても、枠体２１Ａに対する他方のベルトＷ２の移動は生じない。そのため、ベルト折返し部材２１Ｂを折り返された他方のベルトＷ２と共に後退位置Ｑ１へ移動させるだけで、第２のベルト装着部２１に他方のベルトＷ２を簡単に固定することができる。
【００５５】
また、ベルト折返し部材２１Ｂを前進位置Ｑ２へ移動させることによって、折返し部２９１に形成した突起部２９２を開口部２９内へ移動できるので、前進位置Ｑ２へ移動させたベルト折返し部材２１Ｂにおける折返し部２９１に巻回された他方のベルトＷ２は、突起部２９２と立壁部２７１、２８１とによる屈曲が解除されて、開口部２９内で自由に移動させることができる。したがって、ベルト折返し部材２１Ｂを折り返された他方のベルトＷ２と共に前進位置Ｑ２へ移動させるだけで、第２のベルト装着部２１に対して他方のベルトＷ２の長さを簡単に調節することができる。
【００５６】
また、ベルト折返し部材２１Ｂを折り返された他方のベルトＷ２と共に後退位置Ｑ１へ移動させた状態では、立壁部２７１、２８１と突起部２９２との間で他方のベルトＷ２が前後方向で略階段状に屈曲されているので、ベルト折返し部材２１Ｂを後退位置Ｑ１から前進位置Ｑ２へ移動させるためには、突起部２９２を屈曲された他方のベルトＷ２と共に立壁部２７１、２８１を乗り越えさせる力が必要となる。そのため、ベルト折返し部材２１Ｂに対して、上記力以上の外力が作用しなければ、ベルト折返し部材２１Ｂは、屈曲された他方のベルトＷ２を介して後退位置Ｑ１にロックされた状態となる。したがって、本ベルト連結具１０を使用しないときでも、第２のベルト装着部２１に対する他方のベルトＷ２の位置ズレは生じないので、本ベルト連結具１０を使用する度に行う再調節を不要にできる。
【００５７】
また、折返し部２９１には、左右方向へ突出する案内突起２９１ａと上下方向へ貫通する貫通孔２９５とを備え、枠体２１Ａの側壁部２６には、案内突起２９１ａと係合してベルト折返し部材２１Ｂを前進位置Ｑ２と後退位置Ｑ１との間で移動可能に形成された案内溝２６１を備え、貫通孔２９５は、ベルト折返し部材２１Ｂが前進位置Ｑ２に移動したとき、先端部ＪＧ１が略Ｌ字状に屈曲された取り出し治具ＪＧに対して係合可能に形成されていることが好ましい。なお、案内溝２６１内に案内突起２９１ａを挿入した状態では、連結部２９３が弾性的に撓み、連結部２９３を介して連結された左右の折返し部２９１同士の隙間が僅かに狭くなるように形成されていることが、さらに好ましい。折返し部２９１同士の隙間は、案内溝２６１内に案内突起２９１ａを挿入する以前の状態（フリーな状態）では１ミリメートル程度で、案内溝２６１内に案内突起２９１ａを挿入した状態では０．４〜０．５ミリメートル程度であると良い。
【００５８】
この場合、ベルト折返し部材２１Ｂは、枠体２１Ａから外れにくくなるが、ベルト折返し部材２１Ｂを前進位置Ｑ２に移動させた状態で、左右いずれか一方の折返し部２９１の貫通孔２９５に取り出し治具ＪＧの先端部ＪＧ１を挿入して、上方へ引っ張ることによって、連結部２９３を弾性変形させ、当該一方の折返し部２９１の中央部側を他方の折返し部２９１の中央部側と重ね合せて、一方の折返し部２９１の案内突起２９１ａを案内溝２６１から離脱させることができる。そのため、幅の狭い他方側のベルトＷ２に対応して形成された小型のベルト折返し部材２１Ｂを、簡単に枠体２１Ａから離脱させ、又は枠体２１Ａ内に挿入させることができる。
【００５９】
また、図１５に示すように、案内溝２６１には、上壁２６１ａと、下壁２６１ｂと、上壁２６１ａと下壁２６１ｂの内のいずれか一方が水平面に対して所定の角度θで傾斜して形成され、上壁２６１ａと下壁２６１ｂとを先開き状のコの字断面に連結する縦壁２６１ｃとを備え、左右の案内溝２６１は、枠体２１Ａの中心部を通り前後方向に延びる中心軸ＴＪに対して軸対称に形成されている。この構造であれば、左右の案内溝２６１を複雑なスライド型を用いることなく単純なスライド型（例えば、型分割線ＢＫが水平面に対して所定の角度θで傾斜して形成され、傾斜方向で互いに反対側へスライドするスライド型）で型成形することができる。ところが、幅の狭い他方のベルトＷ２に対応して小型化された枠体２１ＡＣは、強度的には問題ないが、イメージ的に貧弱な印象を与える可能性がある。すなわち、枠体２１ＡＣの側壁部２６の左右断面は、スライド型構造により成形できない領域があるため、ある程度細くなるが、適正な樹脂材料（例えば、強靭なポリアセタール等）を用いることで、必要な強度等は十分確保でき、軽量化を重視する登山用品等では、このことがより一層歓迎されることにもなる。しかし、一般的な消費者には、逆に貧弱な印象を与える可能性がある。
【００６０】
そこで、図１６に示す本ベルト連結具１０の変形例では、案内溝２６１Ｂには、上壁２６１Ｂａと、下壁２６１Ｂｂと、上壁２６１Ｂａと下壁２６１Ｂｂの内のいずれか一方が水平面に対して所定の角度θで傾斜して形成され、上壁２６１Ｂａと下壁２６１Ｂｂとを先開き状のコの字断面に連結する縦壁２６１Ｂｃとを備え、左右の案内溝２６１Ｂは、枠体２１ＡＢの中心部を通り前後方向に延びる中心軸ＴＪに対して軸対称に形成されている。また、枠体２１ＡＢの側壁部２６Ｂの外壁には、所定の角度θで傾斜して形成された上壁２６１Ｂａ又は下壁２６１Ｂｂとの間で収納部２２の外面側へ肉盛りした厚肉部２６２Ｂａが形成されている。ここでは、厚肉部２６２Ｂａは、収納部２２の外面の位置まで肉盛りされているが、上記形状に限定する必要はない。この厚肉部２６２Ｂａによって、枠体２１ＡＢの側壁部２６Ｂにおける上下方向の厚さを増大して、イメージ的に貧弱な印象を解消できると共に、必要な強度を確保することができる。そのため、第２のベルト装着部２１に対して幅の狭い他方のベルトＷ２を、不安感を生じさせず、より一層強固に固定することができる。
【００６１】
（本ベルト連結具におけるベルト長さの調節方法）
次に、本ベルト連結具１０におけるベルト長さの調節方法を、簡単に説明する。まず、ベルト折返し部材２１Ｂにおける把持部２９４を、開口部２９から枠体２１Ａ内へ挿入し、ベルト挿入部３０から後方へ突出させる。また、開口部２９の中で、左右に分割された折返し部２９１を、上下方向に変位させて中央部側を互いに重ねた状態で、枠体２１Ａの側壁部２６に形成された案内溝２６１に案内突起２９１ａを係合させる。その後、変位された折返し部２９１を元の状態に戻す。これによって、ベルト折返し部材２１Ｂを、枠体２１Ａ内に前後方向へ進退可能に装着することができる。
【００６２】
そして、ベルト折返し部材２１Ｂを枠体２１Ａの前進位置Ｑ２に移動させ、他方のベルトＷ２を、ベルト挿入部３０から折返し部２９１に沿わせて開口部２９まで挿入する。また、開口部２９の中で他方のベルトＷ２を折返し部２９１の前端部に巻回させて後方へ折り返し、折り返した他方のベルトＷ２の先端部をベルト挿入部３０から後方へ突出させる。このとき、他方のベルトＷ２を前後に移動させてその長さを調節する。
【００６３】
次に、長さを調節した他方のベルトＷ２を枠体２１Ａに固定するときには、折り返した他方のベルトＷ２と共に把持部２９４を把持して、ベルト折返し部材２１Ｂを前進位置Ｑ２から後退位置Ｑ１へ移動させ、折返し部２９１の突起部２９２とベルト挿入部３０の立壁部２７１、２８１との間で他方のベルトＷ２を前後方向で略階段状に屈曲させて拘束する。
【００６４】
なお、ベルト折返し部材２１Ｂは、枠体２１Ａの後退位置Ｑ１にて案内突起２９１ａが案内溝２６１の後端部と当接して、ベルト挿入部３０から抜け出ることが阻止される。さらに、ベルト折返し部材２１Ｂを枠体２１Ａの後退位置Ｑ１に移動させた状態では、ベルト折返し部材２１Ｂが、屈曲された他方のベルトＷ２を介して後退位置Ｑ１にロックされた状態となる。したがって、ベルト折返し部材２１Ｂに対して前後方向の外力が多少作用した場合にも、調節した他方のベルトＷ２がベルト間の張力でズレて抜けるのを阻止することができる。
【００６５】
＜本実施形態に係る第２実施例のベルト連結具＞
次に、本実施形態に係る第２実施例のベルト連結具について、図１７〜図１９を用いて説明する。図１７に、本実施形態に係る第２実施例のベルト連結具における分解状態の概略斜視図を示す。図１８に、図１７に示すベルト連結具におけるベルトロック状態の長手方向の断面図を示す。図１９に、図１７に示すベルト連結具における雌部材のベルト折返し部材と枠体との係合状態（取り出し治具による係合解除方法を含む）の詳細断面図を示す。ここでは、上述した第１実施例との相違点を中心に説明し、共通点については、共通の符号を付して、その説明を原則として割愛する。
【００６６】
図１７〜図１９に示すように、本実施形態に係る第２実施例のベルト連結具１０Ｃでは、案内溝２６１Ｃには、上壁２６１Ｃａと、下壁２６１Ｃｂと、上壁２６１Ｃａと下壁２６１Ｃｂの内のいずれか一方が水平面に対して所定の角度θで傾斜して形成され、上壁２６１Ｃａと下壁２６１Ｃｂとを先開き状のコの字断面に連結する縦壁２６１Ｃｃとを備え、左右の案内溝２６１Ｃは、枠体２１ＡＣの中心部を前後方向に延びる中心軸ＴＪに対して軸対称に形成されている。
【００６７】
したがって、左右の案内溝２６１Ｃを複雑なスライド型を用いることなく単純なスライド型で成形することができる。ところが、幅の狭い他方のベルトＷ２に対応して小型化された枠体２１ＡＣは、前述したように、消費者によっては、イメージ的に貧弱な印象を与える可能性もある。
【００６８】
これに対応すべく、枠体２１ＡＣの側壁部２６Ｃの外壁には、所定の角度θで傾斜して形成された上壁２６１Ｃａ又は下壁２６１Ｃｂとの間で収納部２２の外面側へ肉盛りした厚肉部２６２Ｃａが形成されている。また、水平状に形成された上壁２６１Ｃａ及び下壁２６１Ｃｂは、中心軸ＴＪを通り水平な上下中心線ＣＬ２上又はその近傍に形成されたことによって、枠体２１ＡＣの側壁部２６Ｃの外壁には、水平状に形成された上壁２６１Ｃａ及び下壁２６１Ｃｂとの間で第２の厚肉部２６２Ｃｂが形成されている。
【００６９】
この厚肉部２６２Ｃａ及び第２の厚肉部２６２Ｃｂによって、枠体２１ＡＣの側壁部２６Ｃにおける上下方向の厚さをより一層増大させ、枠体２１ＡＣの側壁部２６Ｃに対するイメージ的に貧弱な印象を解消できると共に、必要な強度をより強く確保することができるし、安価な材料を使用することもできる。その結果、第２のベルト装着部２１に対して幅の狭い他方のベルトＷ２を、不安感を生じさせず、より一層強固に固定することができる。
【００７０】
また、本ベルト連結具１０Ｃでは、折返し部２９１Ｃは、上端面２９１Ｃ１が、所定の角度θで傾斜して形成された上壁２６１Ｃａの上端部近傍に位置し、下端面２９１Ｃ２が、所定の角度θで傾斜して形成された下壁２６１Ｃｂの下端部近傍に位置するように形成されている。また、折返し部２９１Ｃには、上下方向へ突出する複数の突起部２９２が形成されている。また、ベルト挿入部３０の上押え部２７及び下押え部２８には、後退位置Ｑ１へ移動したベルト折返し部材２１Ｃの折返し部２９１Ｃの突起部２９２との間で、他方のベルトＷ２を上下方向で挟圧しながら屈曲させる立壁部２７１、２８１が開口部２９側に左右方向へ連続状に形成されている。したがって、立壁部２７１、２８１と突起部２９２との間で他方のベルトＷ２を前後方向で略階段状に屈曲させ、その屈曲に伴う変形抵抗によって他方のベルトＷ２の移動を阻止することができる。また、折返し部２９１Ｃの上端面２９１Ｃ１及び下端面２９１Ｃ２と立壁部２７１、２８１とが他方のベルトＷ２を上下方向で挟圧することによって、他方のベルトＷ２の移動をより一層阻止することができる。
【００７１】
また、本ベルト連結具１０Ｃでは、折返し部２９１Ｃは、後端側が弾性変形可能に形成された連結部２９３を介して連結され、中心軸ＴＪに沿って形成された微小隙間２９１Ｃｃを隔てて、左右に分割されている。なお、案内溝２６１Ｃ内に案内突起２９１Ｃａを挿入した状態では、連結部２９３が弾性的に撓み、連結部２９３を介して連結された左右の折返し部２９１Ｃ同士の隙間２９１Ｃｃが僅かに狭くなるように形成されている。
【００７２】
これによって、装着した他方のベルトＷ２に負荷を掛けても、微小隙間２９１Ｃｃが閉じることによって、折返し部２９１Ｃの案内突起２９１Ｃａが案内溝２６１Ｃから外れにくくなる。一方、折返し部２９１Ｃを取り外す際には、分割された一方の折返し部２９１Ｃの貫通孔２９５に取り出し治具ＪＧの先端部ＪＧ１を挿入し係合して、上下方向へ引っ張ることによって、一方の折返し部２９１Ｃと他方の折返し部２９１Ｃとを中央側で交差させることができ、一方の折返し部２９１Ｃの案内突起２９１Ｃａを案内溝２６１Ｃから簡単に離脱させることができる。そのため、第２のベルト装着部２１に対して幅の狭い他方のベルトＷ２を、より一層確実に固定することができると共に、枠体２１ＡＣに対してベルト折返し部材２１Ｃを簡単に着脱させることができる。
【００７３】
なお、折返し部２９１Ｃの後端側には、中央部で湾曲状に形成された穴開き部を挟んで略Ｕ字状に形成された連結部２９３が接続されている。連結部２９３の後端部には、略円弧状断面の把持部２９４が形成されている。また、把持部２９４を除く連結部２９３は、左右方向の肉厚が上下方向の肉厚より大きく形成されているため、上下方向には簡単に撓ませることができるが、左右方向への撓みは生じにくい。したがって、通常の使用状態では、折返し部２９１Ｃの案内突起２９１Ｃａが案内溝２６１Ｃから外れないが、取り出し治具ＪＧの先端部ＪＧ１を貫通孔２９５に係合し折返し部２９１Ｃを上下方向へ引っ張った場合には、折返し部２９１Ｃを案内溝２６１Ｃから離脱させることは容易である。
【００７４】
したがって、他方のベルトＷ２を枠体２１ＡＣに固定するときには、折り返した他方のベルトＷ２と共に把持部２９４を把持して、ベルト折返し部材２１Ｃを前進位置Ｑ２から後退位置Ｑ１へ移動させ、折返し部２９１Ｃと上押え部２７及び下押え部２８の立壁部２７１、２８１との間で他方のベルトＷ２を階段状に屈曲させる変形抵抗、及び狭圧する摩擦抵抗によって他方のベルトＷ２の移動を阻止することができる。
【００７５】
以上、本実施形態に係るベルト連結具について、詳細に説明したが、本ベルト連結具１０、１０Ｃは、本願考案の要旨を変更しない範囲で、適宜、変更することができることは言うまでもない。
【００７６】
＜作用効果＞
以上詳細に説明したように、本実施形態に係るベルト連結具１０、１０Ｃによれば、雄部材１には、一方のベルトＷ１を装着する第１のベルト装着部１１と、第１のベルト装着部１１の左右中央部から雌部材２側へ延設され雌部材２内に挿入する１つの差込脚部１２と、差込脚部１２の左右両側に隣接して第１のベルト装着部１１から差込脚部１２と略同方向へ延設された２つの弾性片１３と、弾性片１３の先端部１３１にそれぞれ形成された一対の係止爪１４と、各係止爪１４と接続され雌部材２の側窓部２２２から左右外方へ突出した一対の操作部１５とを備え、雌部材２には、他方のベルトＷ２を装着する第２のベルト装着部２１と、第２のベルト装着部２１の前端部２５に接続され差込脚部１２と弾性片１３とを収納すると共に係止爪１４と係合する一対の係合突起２２１が形成された収納部２２とを備えているので、雄部材１の差込脚部１２と弾性片１３とを雌部材２の収納部２２内にコンパクトに収納し、係止爪１４と係合突起２２１とを余裕を持って係脱させることができる。そのため、一方のベルトＷ１が第１のベルト装着部１１に装着された雄部材１と他方のベルトＷ２が第２のベルト装着部２１に装着された雌部材２とを、コンパクトに形成しつつ、スムーズに連結離脱させることができる。
【００７７】
また、収納部２２には、弾性片１３の上端面１３ａに当接する上壁部２２４と弾性片１３の下端面１３ｂに当接する下壁部２２５とを備え、上壁部２２４と下壁部２２５には、差込脚部１２を前後方向へ案内する上案内リブ２３と下案内リブ２４とを備え、上案内リブ２３と下案内リブ２４とが、上下方向で分離しかつ左右中心線ＣＬ１から互いに反対方向へ位置ズレして配設され、差込脚部１２には、下案内リブ２４の上方に配設され上案内リブ２３に案内される上脚部１２１と、上案内リブ２３の下方に配設され下案内リブ２４に案内される下脚部１２２とを備え、上脚部１２１と下脚部１２２とが、略Ｚ字状断面に形成されているので、収納部２２の上壁部２２４と下壁部２２５とが弾性片１３の上端面１３ａと下端面１３ｂとを上下方向から規制することによって、雌部材２に対する雄部材１の挿入姿勢を維持させながら、差込脚部１２の上脚部１２１と下脚部１２２とを上下方向で分離した上案内リブ２３と下案内リブ２４とが左右方向から規制することができる。
【００７８】
そのため、収納部２２内において、上方の案内構造を形成する上脚部１２１と上案内リブ２３とが左右方向で二層構造となり、下方の案内構造を形成する下脚部１２２と下案内リブ２４とが左右方向で二層構造となり、それぞれの案内構造における左右方向の幅寸法を短縮させながら、差込脚部１２及び弾性片１３における必要な強度や剛性を確保することができる。また、案内構造における上脚部１２１及び上案内リブ２３の領域と下脚部１２２及び下案内リブ２４の領域とが、上下方向で略重合して配置されることになり、案内構造全体としての左右方向の幅寸法を短縮させることができる。その結果、ベルトＷ１、Ｗ２を装着して係脱可能に形成された雄部材１及び雌部材２の左右方向の幅寸法を、ベルト幅に応じて短縮でき、且つ、必要な強度や剛性を確保することができる。
【００７９】
よって、本実施形態によれば、ベルトＷ１、Ｗ２を装着して係脱可能に形成された雄部材１及び雌部材２が、幅の狭いベルトに対して、必要な強度や剛性を確保しやすく、スムーズな連結・離脱動作を可能とする安全でコンパクトなベルト連結具１０、１０Ｃを提供することができる。
【００８０】
また、本実施形態によれば、差込脚部１２は、弾性片１３の先端部１３１と隣接する隣接部１２Ｂにおける左右方向の幅寸法ｄ１が、第１のベルト装着部１１と接続された基端部１２Ｃの左右方向の幅寸法ｄ２に対して狭く形成されているので、弾性片１３の係止爪１４を収納部２２の係合突起２２１から離脱させる際、弾性片１３の先端部１３１に形成された係止爪１４及び操作部１５を左右中央側へより大きく移動させても、差込脚部１２と弾性片１３との干渉を回避できる。そのため、弾性片１３の先端部１３１に形成された係止爪１４及び操作部１５を左右中央側へ配置できる。その結果、ベルトＷ１、Ｗ２を装着して係脱可能に形成された雄部材１及び雌部材２の左右方向の幅寸法を、ベルト幅に応じてより一層短縮させることができる。
【００８１】
また、本実施形態によれば、差込脚部１２の先端部１２Ａには、左右方向へ略Ｔ字状に突出する左突出部１２１ａ及び右突出部１２２ａと、左右中央部から挿入方向（矢印Ｐの方向）へ円弧状に突出する中央突出部１２４とを備え、係止爪１４と係合突起２２１とが係合したとき、中央突出部１２４が第２のベルト装着部２１の前端部２５と当接し、第１のベルト装着部１１の左右両端部１１ｄ、１１ｄと収納部２２の挿入口２２Ｋにおける左右側壁部２２３、２２３とが当接するように形成されているので、雄部材１と雌部材２とを連結した状態で、差込脚部１２の中央突出部１２４と第１のベルト装着部１１の左右両端部１１ｄ、１１ｄとが、収納部２２内で３点支持される。そのため、差込脚部１２と上案内リブ２３と下案内リブ２４とから成る案内構造を３点支持によって補強し、案内構造の精度をより一層向上させることができる。その結果、雄部材１と雌部材２との連結強度及び連結精度を高めつつ、各ベルトＷ１、Ｗ２を装着して係脱可能に形成された雄部材１及び雌部材２の左右方向の幅寸法を、ベルト幅に応じてより一層短縮させることができる。
【００８２】
また、本実施形態によれば、第２のベルト装着部２１には、収納部２２に接続され略矩形状の開口部２９が内周側に形成された枠体２１Ａ、２１ＡＢ、２１ＡＣと、他方のベルトＷ２の幅と略同一の幅に形成された折返し部２９１、２９１Ｃを有し、開口部２９の中の前進位置Ｑ２で折返し部２９１、２９１Ｃの先頭部に他方のベルトＷ２を巻回して前後方向に折返し、折返し部２９１、２９１Ｃが枠体２１Ａ、２１ＡＢ、２１ＡＣ内で前後方向へ進退可能に形成されたベルト折返し部材２１Ｂ、２１Ｃとを備え、枠体２１Ａ、２１ＡＢ、２１ＡＣの後端側には、ベルト折返し部材２１Ｂ、２１Ｃと他方のベルトＷ２とを挿入可能に形成されたベルト挿入部３０を備え、ベルト挿入部３０には、枠体２１Ａ、２１ＡＢ、２１ＡＣの左右の側壁部２６、２６Ｃに接続され、後退位置Ｑ１へ移動した折返し部２９１、２９１Ｃとの間で、他方のベルトＷ２を拘束する上押え部２７と下押え部２８とを備えているので、第２のベルト装着部２１に対して幅の狭い他方のベルトＷ２を固定するときには、ベルト折返し部材２１Ｂ、２１Ｃを折り返した他方のベルトＷ２と共に後退位置Ｑ１へ移動させるだけで良い。
【００８３】
また、第２のベルト装着部２１に対して幅の狭い他方のベルトＷ２の長さを調節するときには、ベルト折返し部材２１Ｂ、２１Ｃを折り返された他方のベルトＷ２と共に前進位置Ｑ２へ移動させるだけで良い。すなわち、ベルト折返し部材２１Ｂ、２１Ｃを前進位置Ｑ２へ移動させることによって、折返し部２９１、２９１Ｃに巻回された他方のベルトＷ２は、上押え部２７と下押え部２８との拘束が解除されて、開口部２９内で自由に移動させることができる。したがって、第２のベルト装着部２１に対して幅の狭い他方のベルトＷ２の長さを簡単に調節し、固定することができる。
【００８４】
また、本実施形態によれば、折返し部２９１、２９１Ｃには、左右方向へ突出する案内突起２９１ａと上下方向へ貫通する貫通孔２９５とを備え、枠体２１Ａ、２１ＡＢ、２１ＡＣの側壁部２６、２６Ｃには、案内突起２９１ａと係合してベルト折返し部材２１Ｂ、２１Ｃを前進位置Ｑ２と後退位置Ｑ１との間で移動可能に形成された案内溝２６１、２６１Ｂ、２６１Ｃを備え、貫通孔２９５は、ベルト折返し部材２１Ｂ、２１Ｃが前進位置Ｑ２に移動したとき、先端部ＪＧ１が略Ｌ字状に屈曲された取り出し治具ＪＧに対して係合可能に形成されているので、ベルト折返し部材２１Ｂ、２１Ｃを前進位置Ｑ２に移動させた状態で、折返し部２９１、２９１Ｃの貫通孔２９５に取り出し治具ＪＧの先端部ＪＧ１を挿入して、上下方向へ引っ張ることによって、折返し部２９１、２９１Ｃの案内突起２９１ａを案内溝２６１、２６１Ｂ、２６１Ｃから離脱させることができる。そのため、幅の狭い他方のベルトＷ２に対応して形成された小型のベルト折返し部材２１Ｂ、２１Ｃを、簡単に枠体２１Ａ、２１ＡＢ、２１ＡＣから離脱させ、又は枠体２１Ａ、２１ＡＢ、２１ＡＣ内に挿入させることができる。
【００８５】
また、本実施形態によれば、案内溝２６１Ｂ、２６１Ｃには、上壁２６１Ｂａ、２６１Ｃａと、下壁２６１Ｂｂ、２６１Ｃｂと、上壁２６１Ｂａ、２６１Ｃａと下壁２６１Ｂｂ、２６１Ｃｂの内のいずれか一方が水平面に対して所定の角度θで傾斜して形成され、上壁２６１Ｂａ、２６１Ｃａと下壁２６１Ｂｂ、２６１Ｃｂとを先開き状のコの字断面に連結する縦壁２６１Ｂｃ、２６１Ｃｃとを備え、左右の案内溝２６１Ｂ、２６１Ｃは、枠体２１ＡＢ、２１ＡＣの中心部を前後方向に延びる中心軸ＴＪに対して軸対称に形成されているので、左右の案内溝２６１Ｂ、２６１Ｃを複雑なスライド型を用いることなく単純なスライド型で成形することができる。ところが、幅の狭い他方のベルトＷ２に対応して小型化された枠体２１ＡＢ、２１ＡＣは、枠体２１ＡＢ、２１ＡＣの側壁部２６Ｂ、２６Ｃに対してイメージ的に貧弱な印象を与える可能性がある。そこで、枠体２１ＡＢ、２１ＡＣの側壁部２６Ｂ、２６Ｃの外壁には、傾斜して形成された上壁２６１Ｂａ、２６１Ｃａ又は下壁２６１Ｂｂ、２６１Ｃｂとの間で収納部２２の外面側へ肉盛りした厚肉部２６２Ｂａ、２６２Ｃａが形成されている。この厚肉部２６２Ｂａ、２６２Ｃａによって、枠体２１ＡＢ、２１ＡＣの側壁部２６Ｂ、２６Ｃに対するイメージ的に貧弱な印象を解消することができると共に、枠体２１ＡＢ、２１ＡＣの側壁部２６Ｂ、２６Ｃおける必要な強度を、確保することができる。そのため、第２のベルト装着部２１に対して幅の狭い他方のベルトＷ２を、不安感を生じさせず、より一層強固に固定することができる。
【００８６】
また、本実施形態によれば、折返し部２９１Ｃは、他方のベルトＷ２が当接する上端面２９１Ｃ１が、所定の角度θで傾斜して形成された上壁２６１Ｃａの上端部近傍に位置し、他方のベルトＷ２が当接する下端面２９１Ｃ２が、所定の角度θで傾斜して形成された下壁２６１Ｃｂの下端部近傍に位置するように形成されているので、折返し部２９１Ｃの上下方向の厚さｄ４を増大させることができ、後退位置へ移動した折返し部２９１Ｃと上押え部２７及び下押え部２８との間で、幅の狭い他方のベルトＷ２を直接的に挟圧して、より効果的に拘束できる。
【００８７】
また、折返し部２９１Ｃは、後端側が弾性変形可能に形成された連結部を介して連結され、中心軸ＴＪに沿って形成された微小隙間２９１Ｃｃを隔てて、左右に分割されているので、装着した他方のベルトＷ２に負荷を掛けても、微小隙間２９１Ｃｃが閉じることによって、折返し部２９１Ｃの案内突起２９１Ｃａが案内溝２６１Ｃから外れにくくなる。一方、折返し部２９１Ｃを取り外す際には、分割された一方の折返し部２９１Ｃの貫通孔２９５に取り出し治具ＪＧの先端部ＪＧ１を挿入し係合して、上下方向へ引っ張ることによって、一方の折返し部２９１Ｃと他方の折返し部２９１Ｃとを中央側で交差させることができ、一方の折返し部２９１Ｃの案内突起２９１Ｃａを案内溝２６１Ｃから簡単に離脱させることができる。
【００８８】
そのため、第２のベルト装着部２１に対して幅の狭い他方のベルトＷ２を、より一層確実に固定することができると共に、枠体２１ＡＣに対してベルト折返し部材２１Ｃを簡単に着脱させることができる。
【産業上の利用可能性】
【００８９】
本考案は、例えば、ズボン用ベルトのバックルやリュックサック、ベルト付きカバン、ウェストポーチ、ヘルメット等のベルトを装着して係脱可能に連結する雄部材と雌部材とを備えたベルト連結具として利用できる。
【符号の説明】
【００９０】
１                                    雄部材
２                                    雌部材
１０、１０Ｃ                          ベルト連結具
１１                                  第１のベルト装着部
１１ｄ                                左右両端部
１２                                  差込脚部
１２Ａ                                先端部
１２Ｂ                                隣接部
１２Ｃ                                基端部
１３                                  弾性片
１３ａ                                上端面
１３ｂ                                下端面
１４                                  係止爪
１５                                  操作部
２１                                  第２のベルト装着部
２１Ａ、２１ＡＢ、２１ＡＣ            枠体
２１Ｂ、２１Ｃ                        ベルト折返し部材
２２                                  収納部
２２Ｋ                                挿入口
２３                                  上案内リブ
２４                                  下案内リブ
２５                                  前端部
２６、２６Ｂ、２６Ｃ                  側壁部
２７                                  上押え部
２８                                  下押え部
２９                                  開口部
３０                                  ベルト挿入部
１２１                                上脚部
１２１ａ                              左突出部
１２２ａ                              右突出部
１２２                                下脚部
１２４                                中央突出部
１３１                                先端部
２２１                                係合突起
２２２                                側窓部
２２３                                左右側壁部
２２４                                上壁部
２２４ｂ                              下端面
２２５                                下壁部
２２５ｂ                              上端面
２６１、２６１Ｂ、２６１Ｃ            案内溝
２６１ａ、２６１Ｂａ、２６１Ｃａ      上壁
２６１ｂ、２６１Ｂｂ、２６１Ｃｂ      下壁
２６１ｃ、２６１Ｂｃ、２６１Ｃｃ      縦壁
２６２Ｂａ、２６２Ｃａ                厚肉部
２６２Ｃｂ                            第２の厚肉部
２９１、２９１Ｃ                      折返し部
２９１ａ                              案内突起
２９１Ｃ１                            上端面
２９１Ｃ２                            下端面
２９１Ｃｃ                            微小隙間
２９３                                連結部
２９５                                貫通孔
ＪＧ                                  取り出し治具
ＪＧ１                                先端部
ＪＴ                                  中心軸
Ｑ１                                  後退位置
Ｑ２                                  前進位置
Ｗ１、Ｗ２                            ベルト
【図１】
0003235347.tif 000003
【図２】
0003235347.tif 000004
【図３】
0003235347.tif 000005
【図４】
0003235347.tif 000006
【図５】
0003235347.tif 000007
【図６】
0003235347.tif 000008
【図７】
0003235347.tif 000009
【図８】
0003235347.tif 000010
【図９】
0003235347.tif 000011
【図１０】
0003235347.tif 000012
【図１１】
0003235347.tif 000013
【図１２】
0003235347.tif 000014
【図１３】
0003235347.tif 000015
【図１４】
0003235347.tif 000016
【図１５】
0003235347.tif 000017
【図１６】
0003235347.tif 000018
【図１７】
0003235347.tif 000019
【図１８】
0003235347.tif 000020
【図１９】
0003235347.tif 000021
【図２０】
0003235347.tif 000022